(57)【特許請求の範囲】
【請求項１】
窓用枠部と欄間用枠部を有し、その欄間用枠部が吊束で左欄間用枠部と右欄間用枠部に区画されているサッシ枠が、窓用開口部と欄間用開口部が形成され、その欄間用開口部が躯体吊束で左欄間用開口部と右欄間用開口部に区画されている建物躯体に取付けられた欄間付きサッシであって、
前記サッシ枠の左右欄間用枠部に室内側障子と室外側障子が引き違いにそれぞれ装着され、前記各室内側障子の室内側部は欄間用枠部の室内側面よりも室内側に突出し、その各室内側障子の戸当り框が、前記躯体吊束と干渉せずに吊束の戸当り部にそれぞれ接するようにしたことを特徴とする欄間付きサッシ。
【請求項２】
前記戸当り框は、見込み寸法が大きく欄間用枠部の室内側面よりも突出した面内方向内側部と、見込み寸法が小さく欄間用枠部の室内側面よりも突出しない面内方向外側部を備え、その面内方向外側部が吊束の戸当り部に接するようにした請求項１記載の欄間付きサッシ。
【請求項３】
窓用枠部と欄間用枠部を有し、その欄間用枠部が吊束で左欄間用枠部と右欄間用枠部に区画されているサッシ枠が、左右の縦取付部と上下及び中間の横取付部とによって窓用開口部と欄間用開口部が形成されると共に、その欄間用開口部が躯体吊束で左欄間用開口部と右欄間用開口部に区画されている建物躯体に取付けられた欄間付きサッシであって、
前記サッシ枠の左右欄間用枠部に室内側障子と室外側障子が引き違いにそれぞれ装着され、前記各室内側障子の室内側部は欄間用枠部の室内側面よりも室内側に突出し、前記左右一方の室内側障子の戸当り框が、前記躯体吊束と干渉せずに吊束の戸当り部にそれぞれ接し、左右他方の室内側障子の戸当り框が前記建物躯体の縦取付部と干渉せずに縦枠の戸当り部に接するようにしたことを特徴とする欄間付きサッシ。
【請求項４】
前記戸当り框は、見込み寸法が大きく欄間用枠部の室内側面よりも突出した面内方向内側部と、見込み寸法が小さく欄間用枠部の室内側面よりも突出しない面内方向外側部を備え、その面内方向外側部が吊束の戸当り部、縦枠の戸当り部に接するようにした請求項３記載の欄間付きサッシ。
【発明の詳細な説明】
【０００１】
【発明の属する技術分野】
本発明は、窓部と欄間部を備えた欄間付きサッシに関する。
【０００２】
【従来の技術】
欄間付きサッシとしては、サッシ枠の欄間用枠部を吊束によって左枠部と右枠部に区画し、その左枠部と右枠部に一対の欄間用の障子を引き違いにそれぞれ装着したものが提案されている。
例えば、図１２と図１３に示すように、サッシ枠１の上枠２と無目３に亘って吊束４を連結して欄間用枠部５を左枠部５ａと右枠部５ｂに区画し、各枠部５ａ，５ｂに室内側障子６と室外側障子７を引き違いにそれぞれ装着している。
前記吊束４は上枠２と無目３の面外方向室外側に連結され、左右の室内側障子６を突き合せて気密・水密している。
【０００３】
【発明が解決しようとする課題】
前述の各障子が単板ガラスの障子場合には問題がないが、高気密・高断熱のサッシとするために複層ガラスの障子とした場合に次のような問題が発生する。
複層ガラスの障子は框の見込み寸法が大きく、室内側障子６の室内側部が欄間用枠部５の室内側面５ｃよりも室内側に突出する。
一方、サッシ枠１は建物躯体の室外側部に取付けられると共に、建物躯体は吊束４と対向した部分に躯体吊束８を有する。
【０００４】
このために、左右の室内側障子６の突き合せ框６ａが躯体吊束８と干渉し、左右の室内側障子６を突き合せて気密・水密できない。
このことを解消するには、サッシ枠１を形成する各枠材の見込み寸法を大きくし、室内側障子６の室内側部が欄間用枠部５の室内側面５ｃよりも室内側に突出しないようにすることが考えられる。
しかしながら、サッシ枠１を形成する各枠材の見込み寸法を大きくすると、サッシ枠１の建物躯体からの突出寸法が大きくなって見栄えが悪いものとなると共に、枠材が高価となる。
【０００５】
そこで、本発明は前述の課題を解決できるようにした欄間付きサッシを提供することを目的とする。
【０００６】
【課題を解決するための手段】
第１の発明は、窓用枠部と欄間用枠部を有し、その欄間用枠部が吊束で左欄間用枠部と右欄間用枠部に区画されているサッシ枠が、窓用開口部と欄間用開口部が形成され、その欄間用開口部が躯体吊束で左欄間用開口部と右欄間用開口部に区画されている建物躯体に取付けられた欄間付きサッシであって、
前記サッシ枠の左右欄間用枠部に室内側障子と室外側障子が引き違いにそれぞれ装着され、前記各室内側障子の室内側部は欄間用枠部の室内側面よりも室内側に突出し、その各室内側障子の戸当り框が、前記躯体吊束と干渉せずに吊束の戸当り部にそれぞれ接するようにしたことを特徴とする欄間付きサッシである。
【０００７】
第２の発明は、第１の発明において前記戸当り框は、見込み寸法が大きく欄間用枠部の室内側面よりも突出した面内方向内側部と、見込み寸法が小さく欄間用枠部の室内側面よりも突出しない面内方向外側部を備え、その面内方向外側部が吊束の戸当り部に接するようにした欄間付きサッシである。
【０００８】
第３の発明は、窓用枠部と欄間用枠部を有し、その欄間用枠部が吊束で左欄間用枠部と右欄間用枠部に区画されているサッシ枠が、左右の縦取付部と上下及び中間の横取付部とによって窓用開口部と欄間用開口部が形成されると共に、その欄間用開口部が躯体吊束で左欄間用開口部と右欄間用開口部に区画されている建物躯体に取付けられた欄間付きサッシであって、
前記サッシ枠の左右欄間用枠部に室内側障子と室外側障子が引き違いにそれぞれ装着され、前記各室内側障子の室内側部は欄間用枠部の室内側面よりも室内側に突出し、前記左右一方の室内側障子の戸当り框が、前記躯体吊束と干渉せずに吊束の戸当り部にそれぞれ接し、左右他方の室内側障子の戸当り框が前記建物躯体の縦取付部と干渉せずに縦枠の戸当り部に接するようにしたことを特徴とする欄間付きサッシである。
【０００９】
第４の発明は、第３の発明において前記戸当り框は、見込み寸法が大きく欄間用枠部の室内側面よりも突出した面内方向内側部と、見込み寸法が小さく欄間用枠部の室内側面よりも突出しない面内方向外側部を備え、その面内方向外側部が吊束の戸当り部、縦枠の戸当り部に接するようにした欄間付きサッシである。
【００１０】
【作  用】
第１の発明によれば、左右の室内側障子を複層ガラスを備えた見込み寸法の大きい障子とすると共に、欄間用枠部を形成する各枠材の見込み寸法を大きくせずに、左右の室内側障子の戸当り框を躯体吊束と干渉せずに吊束の戸当り部に接することができる。
よって、通常の単板ガラスを備えた障子を装着するサッシ枠と同程度の見込み寸法のサッシ枠に複層ガラスを装着した障子を装着して障子４枚建ての欄間を形成することができる。
【００１１】
第２の発明によれば、戸当り框の面内方向内側部に複層ガラスを装着できると共に、その戸当り框の面内方向外側部を躯体吊束と干渉せずに吊束の戸当り部に接することができる。
【００１２】
第３の発明によれば、左右の室内側障子を複層ガラスを備えた見込み寸法の大きい障子とすると共に、欄間用枠部を形成する各枠材の見込み寸法を大きくせずに、左右一方の室内側障子の戸当り框を躯体吊束と干渉せずに吊束の戸当り部に接し、左右他方の室内側障子の戸当り框を縦取付部と干渉せずに縦枠の戸当り部に接することができる。
よって、通常の単板ガラスを備えた障子を装着するサッシ枠に複層ガラスを装着した障子を装着して障子４枚建ての欄間を形成することができる。
【００１３】
第４の発明によれば、戸当り框の面内方向内側部に複層ガラスを装着できると共に、その戸当り框の面内方向外側部を躯体吊束、縦取付部に干渉せずに吊束、縦枠の戸当り部にそれぞれ接することができる。
【００１４】
【発明の実施の形態】
図１に示すように、建物躯体には窓用開口部１０と欄間用開口部１１が形成され、その欄間用開口部１１は躯体吊束１２で左欄間用開口部１１ａと右欄間用開口部１１ｂに区画されている。
サッシ枠２０は左右の縦枠２１，２１と上枠２２と下枠２３と無目２４で窓用枠部２５と欄間用枠部２６を有し、その欄間用枠部２６は吊束２７で左欄間用枠部２６ａと右欄間用枠部２６ｂに区画されている。
左右の縦枠２１が建物躯体の左右縦取付部１３の室外側面に固着され、上枠２２、下枠２３、無目２４が建物躯体の上横取付部１４、下横取付部１５、中間横取付部１６の室外側面にそれぞれ固着され、吊束２７は躯体吊束１２の室外側面に固着される。
【００１５】
図２に示すように、前記左欄間用枠部２６ａと右欄間用枠部２６ｂには室内側障子３０と室外側障子３１がそれぞれ引き違いに装着され、障子４枚建ての欄間としている。
前記各障子は複層ガラス３２が装着され、その框の見込み寸法が大きく、室内側障子３０の室内側部３０ａが欄間用枠部２６の室内側面２６ｃよりも室内側に突出する。室外側障子３１の室外側部３１ａは欄間用枠部２６の室外側面２６ｄより室外側に突出せずに網戸３３と干渉しないようにしてある。
前記室外側障子３１の召合せ框３４以外の框はアルミ等の金属製の室外側部材３５と樹脂等の断熱材製室内側部材３６を備えた断熱框である。
なお、室外側障子３１の召合せ框３４を前述の断熱框としても良い。
【００１６】
前記各室内側障子３０の戸当り框３７は、複層ガラス３２を装着する面内方向内側部３７ａの見込み寸法が大で、吊束２７と接する面内方向外側部３７ｂの見込み寸法が小さく、かつ欄間用枠部２６の室内側面２６ｃよりも室内側に突出しない。
前記吊束２７の室内側部は欄間用枠部２６の室内側面２６ｃと略面一で、左右の室内側障子３０の戸当り框３７が接する戸当り部３８を備えている。
【００１７】
このようであるから、室内側障子３０の戸当り框３７の面内方向外側部３７ｂが躯体吊束１２と干渉しないので、戸当り框３７を吊束２７の戸当り部３８に接して気密・水密できる。
つまり、戸当り框３７の面内方向外側部３７ｂの面内方向寸法は、戸当り框３７が吊束２７の戸当り部３８に当接した時に躯体吊束１２の左右面と面内方向内側部３７ａとの間に所定の寸法Ｓが形成されるようにしてある。
【００１８】
前記左右の室内側障子３０と左右の室外側障子３１は左右対称で、その室内側障子３０と室外側障子３１の召合せ部を窓用枠部２５に装着した４枚建て障子における室内側障子と室外側障子の召合せ部の面内方向位置に合わせて外観の見栄えを良くできる。
【００１９】
次に室内側障子３０と吊束２７の接する部分の詳細を説明する。
図３に示すように、吊束２７は面外方向に向う左右の側板４０と室外側板４１と室内側板４２と中間連結板４３で２つの中空部を有する略矩形断面中空形状のアルミ押出形材で、その各側板４０には室外側突片４４（網戸３２の戸当り部）、中間突片４５、室内側取付片４６が一体的に設けてある。
前記室内側板４２と中間連結板４３にはビスホール４７が長手方向に連続して有する。
前記室外側板４１は側板４０の室外端よりも若干室内寄りで、室外側に開口した凹部４８ａを有する。前記室内側板４２は側板４０の室内端よりも若干室外寄りで、室内側に開口した凹部４８ｂを有する。
【００２０】
前記側板４０の室内寄り部と室内側取付片４６とに亘って、樹脂等の断熱材より成る略Ｌ字形状の覆板４９が長手方向全長に亘って設けられ、この覆板４９がビス５０で側板４０に固着されている。左右の縦枠２１も縦取付部１３の室外側面に同様に固着される。
覆板４９、室内側取付片４６を通してビス５１が躯体吊束１２に固着されて吊束２７が躯体吊束１２の室外側面１２ａに取付けてある。
この左右の室内側取付片４６間の寸法（吊束２７の見付け寸法）は躯体吊束１２の見付け寸法よりも小さく、室内から見た時に吊束２７が見えないようにしてある。
【００２１】
室内側障子３０を閉じると戸当り框３７の室内側部材３６が樹脂製の引寄せ片５２に当接して室内側に引き寄せられ、室外側部材３５に装着した気密・水密材５３が中間突片４５の室外側面に圧接して気密・水密する。
前記戸当り框３７の室内側部材３６が覆板４９と対向し、吊束２７の戸当り框３７の室内側部材３６と対向した部分に結露が生じにくいようにしてある。
【００２２】
また、左右の網戸３３は図２に示すように吊束２７の室外側突片４４に当接して左右反対側の欄間用枠部２６ａ又は２６ｂに移動しないので、その網戸３３の開閉操作が容易である。
【００２３】
次に吊束２７と上枠２２、無目２４の連結について説明する。
前記上枠２２は図４に示すように、室内側吊下片６０、室内側上レール６１、室外側上レール６２、室外側垂下片６３を有する。
例えば、上枠２２はアルミ等の金属製の上枠本体２２ａと、この上枠本体２２ａに断熱材２２ｂを介して連結したアルミ等の金属製の室内側部材２２ｃと、樹脂等の断熱材製の室内側カバー部材２２ｄで成る断熱形材である。
室内側カバー部材２２ｄに、前記室内側垂下片６０、室内側上レール６１、室外側上レール用垂下片６２ａが一体的に設けてあり、上枠本体２２ａに室外側上レール用補強片６２ｂと室外側垂下片６３が一体的に設けてある。
【００２４】
前記無目２４はアルミ押出形材で、その上面２４ａは室内側が高く室外側が低い階段形状で、室内側立上り片６４、室内側下レール６５、室外側下レール６６、室外側立上り片（網戸レール）６７を有する。
【００２５】
前記上枠２２の室内側垂下片６０、室内側上レール６１、室外側上レール６２における吊束取付部がそれぞれ切断して除去され、上枠２２の室外側垂下片６３が連続している。無目２４の室内側下レール６５、室外側下レール６６、室外側立上り片６７における吊束２７の各側板４０と対向した部分を図３に示すように切欠き、吊束２７と対向した部分を残存させる。残存部を符号６５ａ，６６ａ，６７ａで示す。
【００２６】
前記吊束２７の上端面２７ａは図４に示すように上枠２２の内面に合致した形状に切断加工され、下端面２７ｂは無目２４の上面２４ａに合致した形状に切断加工されていると共に、側板４０の室内側板４２よりも突出した部分の下部が無目２４の室内側立上り片６４の立上り寸法だけ切欠き（切欠部４０ａ）され、左右の室外側突片４４の上部が上枠２２の室外側垂下片６３の垂下寸法だけ切欠き（切欠部４４ａ）されている。
【００２７】
図４と図６に示すように、吊束２４の側板４０における面外方向中間部（中間連結板４３部分）上面と面外方向内側部にそれぞれ切欠部４０ｂが有り、その各切欠部４０ｂに取付横材６８をそれぞれ嵌合し、図６に示すようにビス６９を中間連結板４３のビスホール４７、室内側板４２のビスホール４７にそれぞれ螺合して各取付横材６８を吊束２７の上部にそれぞれ固着してある。
【００２８】
前記吊束２７の上端面２７ａが上枠２２の内面に接し、下端面２７ｂが無目２４の上面２４ａに接し、前記各取付横材６８の吊束２７の側板４０から突出した部分を上枠２２の上枠本体２２ａ、室内側部材２２ｃにビス７０でそれぞれ固着して吊束２７と上枠２２が連結される。このビス７０は裏板７１に螺合している。
前記無目２４の室内側下レール６５の残存部分６５ａと吊束２７の両側板４０を下ブラケット７２で連結する。
この下ブラケット７２は縦片７２ａと両側片７２ｂで平面略コ字形状で、その縦片７２ａの下部を室内側下レール６５の残存部分６５ａにビス７３で固着し、各側片７２ｂを側板４０に前記覆片４９を固着するビス５０で固着して吊束２７の下部室内寄りを無目２４の室内寄りに連結する。
室外側下レール６６の残存部分６６ａに、鉤形の押え片７４を接し、吊束２７の室外側板４１からビス７５を残存部分６６ａを貫通して押え片７４に螺合して室外側板４１を残存部分６６ａに連結する。
【００２９】
前記吊束２７の室外側突片４４の切欠部４４ａが図４に示すように上枠２２の室外側垂下片６３に嵌まり合うと共に、その室外側突片４４の下端面が無目２４の内面２４ａに接し、吊束２７の凹部４８ａに無目２４の室外側立上り片６７における残存部分６７ａが嵌まり合う。
【００３０】
よって、吊束２７の中空部を形成する室外側板４１、側板４０が上枠２２の内面と無目２４の上面２４ａに接するので、その中空部に外気（エアー）が侵入することがない。
この外気の侵入を確実に防止するために前述の接触部にシート状の気密材を設けても良い。
【００３１】
吊束２７の側板４０の切欠部４０ａが無目２４の室内側立上り片６４に嵌まり合い、室内側板４２の室内側面が室内側立上り片６４の室外側面に接する。
【００３２】
よって、吊束２７と無目２４との間に浸入した雨水等は無目２４の室内側立上り片６４で止水され、強風雨等で室内側に浸入することが防止されるので、水密性が向上する。
【００３３】
また、吊束２７の室内側下部と無目２４の連結部は室内側障子３０の戸当り框３７の室外側面よりも室内寄りであるので、万一吊束２７の中空部に侵入した外気（エアー）が室内側障子３０側へ吹き出し、しぶき等を起こすことを防止できる。
このことを確実にするには吊束２７の側板４０下端面と無目２４の上面２４ａとの間にシート状の気密材を設ければ良い。
【００３４】
以上の実施の形態では、左右の室内側障子３０の戸当り框３７を吊束２７の室内側部に接し、左右の室外側障子３１の戸当り框を左右の縦枠２１の室外側部に接したので、窓用枠部２５を形成する左右の縦枠２１をそのまま延長して欄間用枠部２６を形成する縦枠２１とすることができる。
この場合には吊束２７の見込み寸法を欄間用枠部２６の見込み寸法よりも小さくし、室内側に取付けるようにしても良い。
【００３５】
また、図７に示すように左欄間用枠部２６ａに装着した室内側障子３０の戸当り框３７を縦枠２１の室内側部に接すると共に、室外側障子３１の戸当り框を吊束２７の側板４０室外側部に接するようにしても良い。
【００３６】
この場合には図８に示すように、吊束２７の左の側板４０の室外寄りに中間戸当り片４５を一体的に設けると共に、内向片４０ｃを一体的に設け、その内向片４０ｃに気密材４０ｄを室外側に向けて装着する。
左の縦枠２１における内向片２１ａの欄間用枠部２６を形成する部分（無目２４よりも上方部分）を切断して除去し、その部分にアタッチメント７６をビス７７で取付ける。
このアタッチメント７６は戸当り片７８を備え、室内側障子３０の戸当り框３７に装着した引寄せ片５２が戸当り片７８に接すると共に、気密材５３が接するようにしてある。
また、戸当り框３７の面内方向外側部３７ｂが縦取付部１３と干渉しない。
【００３７】
このようにすれば、窓用枠部２５の左側に装着した一対の障子と左欄間用枠部２６ａに装着した一対の障子のガラス面外観を異ならせることができる。
また、窓用枠部２５を形成する縦枠２１の上部を延長して左欄間用枠部２６ａの縦枠とすることができる。
【００３８】
次に吊束２７と上枠２２、無目２４の連結構造の第２の実施の形態を図９、図１０、図１１に基づいて説明する。
吊束２７は中間連結板４３を有しないと共に、ビスホール４７を有しない形状である。
無目２４の室内側下レール６５と室外側下レール６６における吊束２７の中空部に位置する残存部分６５ａ，６６ａに第１下ブラケット８０、第２下ブラケット８１を取付ける。
【００３９】
前記第１下ブラケット８０は縦片８０ａと両側片８０ｂで平面略コ字形状で、その縦片８０ａの下部を室内側下レール６５の残存部分６５ａにビス８２で固着し、各側片８０ｂを側板４０に前記覆片４９を固着するビス５０で固着して吊束２７の下部室内寄りを無目２４の室内寄りに連結する。
このビス５０は吊束２７の外側から螺合される。
【００４０】
前記第２ブラケット８１は縦片８１ａと両側片８１ｂで平面略コ字形状で、その縦片８１ａの下部を室外側下レール６６の残存部分６６ａにビス８３で固着し、各側片８１ｂを側板４０にビス８４で固着して吊束２７の下部室外寄りを無目２４の室外寄りに連結する。
このビス８５は吊束２７の外側から螺合される。
【００４１】
上枠２２の室内側垂下片６０、室内側上レール６１、室外側上レール６２の吊束取付部分は前述と同様に切断して除去する。
この切断して除去した上枠２２の内面に第３ブラケット９０と第４ブラケット９１を室内側方向に離隔して取付ける。
前記第３ブラケット９０は横片９０ａと両縦片９０ｂで正面略コ字形状で、その横片９０ａが上枠２２の室内側部材２２ｃにビス９２で固着され、各縦片９０ｂが吊束２７の両側板４０に前記覆片４９を固着するビス５０でそれぞれ固着される。
【００４２】
前記第４ブラケット９１は横片９１ａと両縦片９１ｂで正面略コ字形状で、その横片９０ａが上枠２２の上枠本体２２ａにビス９３で固着され、各縦片９１ｂが吊束２７の両側板４０にビス９４でそれぞれ固着される。
前記ビス９３は上枠本体２２ａの中空部に設けた裏板９５に螺合し、ビス９４は吊束２７の外側から螺合される。
【００４３】
前述のようにすることで、吊束２７を上枠２２と無目２４に強固で、容易に連結できる。
また、上枠２２の室内側カバー部材２２ｄを吊束２７を連結した状態で取り外しできる。
【００４４】
前述の第２・第３の実施の形態の場合に、左右の室内側障子３０の戸当り框３７を吊束２７にそれぞれ接しても良いし、一方の室内側障子３０の戸当り框３７を縦枠２１に接すると共に、一方の室外側障子３１の戸当り框３７を吊束２７に接しても良い。
【００４５】
【発明の効果】
請求項１に係る発明によれば、左右の室内側障子を複層ガラスを備えた見込み寸法の大きい障子とすると共に、欄間用枠部を形成する各枠材の見込み寸法を大きくせずに、左右の室内側障子の戸当り框を躯体吊束と干渉せずに吊束の戸当り部に接することができる。
よって、通常の単板ガラスを備えた障子を装着するサッシ枠と同程度の見込み寸法のサッシ枠に複層ガラスを装着した障子を装着して障子４枚建ての欄間を形成することができる。
【００４６】
請求項２に係る発明によれば、戸当り框の面内方向内側部に複層ガラスを装着できると共に、その戸当り框の面内方向外側部を躯体吊束に干渉せずに吊束の戸当り部に接することができる。
【００４７】
請求項３に係る発明によれば、左右の室内側障子を複層ガラスを備えた見込み寸法の大きい障子とすると共に、欄間用枠部を形成する各枠材の見込み寸法を大きくせずに、左右一方の室内側障子の戸当り框を躯体吊束と干渉せずに吊束の戸当り部に接し、左右他方の室内側障子の戸当り框を縦取付部と干渉せずに縦枠の戸当り部に接することができる。
よって、通常の単板ガラスを備えた障子を装着するサッシ枠に複層ガラスを装着した障子を装着して障子４枚立ての欄間を形成することができる。
【００４８】
請求項４に係る発明によれば、戸当り框の面内方向内側部に複層ガラスを装着できると共に、その戸当り框の面内方向外側部を躯体吊束、縦取付部に干渉せずに吊束、縦枠の戸当り部にそれぞれ接することができる。
【図面の簡単な説明】
【図１】建物躯体の一部とサッシ枠の斜視図である。
【図２】欄間部の横断面図である。
【図３】欄間部の吊束部分の拡大横断面図である。
【図４】図３のＡ−Ａの縦断面図である。
【図５】図４のＢ−Ｂの横断面図である。
【図６】吊束の斜視図である。
【図７】第２の実施の形態を示す欄間部の横断面図である。
【図８】吊束部分と一方の縦枠部分の拡大横断面図である。
【図９】吊束と上枠、無目の連結構造の第２の実施の形態を示す横断面図である。
【図１０】図９のＣ−Ｃ断面図である。
【図１１】図１０のＤ−Ｄ断面図である。
【図１２】従来例の正面図である。
【図１３】従来例の横断面図である。
【符号の説明】
１２…躯体吊束
１３…縦取付部
２０…サッシ枠
２１…縦枠
２２…上枠
２４…無目
２６…欄間用枠部
２６ａ…左欄間用枠部
２６ｂ…右欄間用枠部
２７…吊束
３０…室内側障子
３１…室外側障子
３７…戸当り框
３７ａ…面内方向内側部
３７ｂ…面内方向外側部
４５…戸当り片（戸当り部）
７８…戸当り片（戸当り部）
【図１】
0003896535.tif 000002
【図２】
0003896535.tif 000003
【図３】
0003896535.tif 000004
【図４】
0003896535.tif 000005
【図５】
0003896535.tif 000006
【図６】
0003896535.tif 000007
【図７】
0003896535.tif 000008
【図８】
0003896535.tif 000009
【図９】
0003896535.tif 000010
【図１０】
0003896535.tif 000011
【図１１】
0003896535.tif 000012
【図１２】
0003896535.tif 000013
【図１３】
0003896535.tif 000014